(57)【要約】【課題】患者の体表面とドレープとの間に隙間が生じたような場合であっても、手術中に発生した液体がドレープから漏洩して手術台や患者の身体を汚染することを防止できるドレープを提供する。【解決手段】ドレープ１００は、患者の体表面の一部を露出する手術用開口部１１３を備える第１シート１１０と、患者の手Ｈを保持可能な空間部１３１および空間部へ患者の手Ｈを挿入可能な挿入口１３３を備える袋部１３０を形成するように、手術用開口部に重ねて配置されるとともに第１シートに固定された第２シート１２０と、を備える。【選択図】図３
2020014666.tif 000002
【特許請求の範囲】
【請求項１】
患者の体表面の一部を露出する手術用開口部を備える第１シートと、
前記患者の身体の一部を保持可能な空間部および前記空間部へ前記患者の身体の一部を挿入可能な挿入口を備える袋部を形成するように、前記手術用開口部に重ねて配置されるとともに前記第１シートに固定された第２シートと、を備えたドレープ。
【請求項２】
前記袋部は、前記挿入口が配置された側と対向する側で前記空間部から前記患者の身体の一部を突出させる貫通孔を有する、請求項１に記載のドレープ。
【請求項３】
前記袋部は、前記貫通孔から突出した前記患者の身体の一部と接触することにより前記貫通孔からの液体の漏洩を抑制する漏洩抑制機構を有する、請求項２に記載のドレープ。
【請求項４】
前記第１シートは、前記第２シートよりも大きな面積を有し、
前記第２シートは、前記第１シートの裏面側に前記袋部が形成されるように前記第１シートの裏面に固定されている、請求項１〜３のいずれか１項に記載のドレープ。
【請求項５】
前記第２シートは、前記第１シートよりも大きな面積を有し、
前記第１シートは、前記第２シートの表面側に前記袋部が形成されるように前記第２シートの表面に固定されている、請求項１〜３のいずれか１項に記載のドレープ。
【請求項６】
前記第２シートは、前記第２シートの裏面側から前記第２シートの表面側へ前記身体の一部を通すための挿通孔を有する、請求項５に記載のドレープ。
【請求項７】
前記第１シートの裏面には、前記第１シートの前記手術用開口部の周辺部を前記患者の体表面に取り付けるための粘着部が配置されている、請求項１〜６のいずれか１項に記載のドレープ。
【請求項８】
前記粘着部に取り付けられた剥離部材を有し、
前記剥離部材は、
前記粘着部を覆うとともに前記粘着部に分離可能に取り付けられた第１剥離部と、
前記手術用開口部を覆うように前記第１シートの表面に配置された第２剥離部と、
前記手術用開口部を挿通し、前記第１シートの表面側で前記第２剥離部と連結されるとともに前記第１シートの裏面側で前記第１剥離部と連結された第３剥離部と、を有し、
前記第３剥離部は、前記第１シートから前記第２剥離部が離間されるのに伴って、前記粘着部から前記第１剥離部を分離させる、請求項７に記載のドレープ。
【請求項９】
前記第１シートの前記手術用開口部は、前記第１シートおよび前記第２シートを前記患者に装着した状態において、前記患者の手の甲の少なくとも一部を露出させる位置に配置される、請求項１〜８のいずれか１項に記載のドレープ。
【発明の詳細な説明】
【技術分野】
【０００１】
本発明は、ドレープに関する。
【背景技術】
【０００２】
患者に対する手術を実施する際、患者の身体の一部を覆うように配置されるドレープが使用される。医師等の術者は、ドレープを使用することにより、手術中に発生した血液等の体液や手術に使用した生理食塩水等の液体（以下、単に「液体」とも称する）が、手術台や患者の体に漏洩したり、周囲に飛散したりすることを防止できる。一般的なドレープには、手術対象部位となる患者の身体の一部を露出させる開口部が形成されたシート状のドレープ本体部が備えられる（例えば、特許文献１を参照）。術者は、ドレープを使用する際、患者の身体の所望の部位にドレープの開口部を配置することにより、開口部を介して術野にアクセスすることが可能になる。
【先行技術文献】
【特許文献】
【０００３】
【特許文献１】特開２００７−６８５７３号公報
【発明の概要】
【発明が解決しようとする課題】
【０００４】
上記のようにドレープを使用することにより、手術中に発生した液体による手術台や患者の身体の汚染を防止し得るが、手術対象となる身体の部位によっては、液体の漏洩をドレープにより十分に防止できないこともある。例えば、手の甲のように体表面が凹凸形状を有する部分や、手の指のように分岐している部分では、シート状のドレープ本体部を体表面に密着させることが難しく、患者の体表面とシート状のドレープ本体部との間に隙間ができてしまう。このような隙間ができてしまうと、液体が隙間から漏洩し、手術台や患者の身体の手術対象部位以外の部位が汚染されてしまう。
【０００５】
また、近年、手を走行する手掌動脈を穿刺し、その穿刺部位を介して治療を行うｄＴＲＡ（ｄｉｓｔａｌ  ｔｒａｎｓｒａｄｉａｌ  ａｐｐｒｏａｃｈ）によるカテーテル手技が注目されている。患者は、ｄＴＲＡの最中、肘を曲げて腕や手を胸部や腹部に載せた体勢をとることがある。このような体勢で手術が行われると、手術中に患者の腕や手に掛かる力（例えば、術者が触れたりすることで生じる力）により、患者の腕や手が動いてしまう。患者の腕や手が動くと、手の体表面とドレープ本体部との間に隙間が生じてしまう。その結果、上述したように隙間から液体が漏洩し、手術台や患者の身体を汚染してしまう可能性がある。
【０００６】
本発明は、上記のような課題を鑑み、患者の体表面とドレープとの間に隙間が生じたような場合であっても、手術中に発生した液体がドレープから漏洩して手術台や患者の身体を汚染することを防止できるドレープを提供することを目的とする。
【課題を解決するための手段】
【０００７】
本発明に係るドレープは、患者の体表面の一部を露出する手術用開口部を備える第１シートと、前記患者の身体の一部を保持可能な空間部および前記空間部へ前記患者の身体の一部を挿入可能な挿入口を備える袋部を形成するように、前記手術用開口部に重ねて配置されるとともに前記第１シートに固定された第２シートと、を備えている。
【発明の効果】
【０００８】
本発明に係るドレープによれば、術者は、第１シートに形成された手術用開口部を介して袋部の空間部内に保持した患者の身体の一部にアクセスすることができる。また、ドレープは、手術中に発生した液体を袋部の空間部内で保持することができる。そのため、ドレープは、患者の体表面とドレープとの間に隙間が生じた場合であっても、手術中に発生した液体がドレープから漏洩して手術台や患者の身体を汚染することを防止できる。
【図面の簡単な説明】
【０００９】
【図１】第１実施形態に係るドレープを患者に装着した状態を示す斜視図である。
【図２】第１実施形態に係るドレープの一部を拡大して示す図であり、第１シートの表面側から見た平面図である。
【図３】第１実施形態に係るドレープの使用状態を示す図であり、第１シートの表面側から見た平面図である。
【図４】第１実施形態に係るドレープの使用状態を示す図であり、第１シートの裏面側から見た平面図である。
【図５】図２に示す矢印５−５線に沿うドレープの断面図である。
【図６】第１実施形態に係るドレープの第１シートに配置された粘着部を患者の体表面に貼り付ける前の様子を示す断面図である。
【図７】第１実施形態に係るドレープの第１シートに配置された粘着部から剥離部材を剥離する際の様子を示す断面図である。
【図８】第１実施形態に係るドレープの第１シートに配置された粘着部を患者の体表面に貼り付けた状態を示す断面図である。
【図９Ａ】図５の矢印９Ａ方向から見た剥離部材の平面図である。
【図９Ｂ】粘着部から剥離部材を取り外す際の様子を簡略的に示す斜視図である。
【図１０】第１実施形態の変形例に係るドレープの一部を拡大して示す図であり、第１シートの表面側から見た平面図である。
【図１１】第１実施形態の変形例に係るドレープの一部を拡大して示す図であり、第１シートの裏面側から見た平面図である。
【図１２】第１実施形態の変形例に係るドレープが備える漏洩抑止機構を示す図である。
【図１３】第１実施形態の変形例に係るドレープが備える漏洩抑止機構を示す図である。
【図１４】第２実施形態に係るドレープの一部を拡大して示す図であり、第２シートの表面側から見た平面図である。
【図１５】第２実施形態に係るドレープの手術用開口部付近における断面図である。
【図１６】図１４に示す矢印１６−１６線に沿うドレープの断面図である。
【図１７】第２実施形態の変形例１に係るドレープの一部を拡大して示す図であり、第２シートの表面側から見た平面図である。
【図１８】第２実施形態の変形例２に係るドレープの一部を拡大して示す図であり、第２シートの表面側から見た平面図である。
【図１９】第２実施形態の変形例３に係るドレープの一部を拡大して示す図であり、第２シートの表面側から見た平面図である。
【図２０Ａ】変形例に係る剥離部材を示す平面図である。
【図２０Ｂ】図２０Ａに示す矢印２０Ｂ−２０Ｂ線に沿うドレープの断面図である。
【００１０】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
（第１実施形態）
図１〜図８、図９Ａ、図９Ｂは、本発明の第１実施形態に係るドレープ１００を説明するための図である。図１は、ドレープ１００の使用状態を示す概観斜視図、図２〜図４は、ドレープ１００の一部を拡大して示す平面図、図５〜図８は、ドレープ１００の一部の断面を拡大して示す図、図９Ａ、図９Ｂは、ドレープ１００が備える剥離部材１５０の説明に供する図である。
【００１２】
図１に示すように、ドレープ１００は、例えば、患者Ｐの前腕部Ａよりも手指側に位置する手Ｈを走行する手掌動脈（深掌動脈）の橈骨動脈側（例えば、スナッフボックス周辺の動脈又はスナッフボックスよりも指先側を走行する遠位橈骨動脈）に対する手技（いわゆる、ｄＴＲＡ）を行う際に使用することができる。
【００１３】
以下、本明細書では、患者Ｐの手（「身体の一部」に相当する）Ｈの甲Ｈｂ側を走行する手掌動脈に対して各種の処置を行う手技にドレープ１００を使用する実施形態を説明する。ただし、ドレープ１００の使用対象となる患者Ｐの身体の部位や具体的な手術内容等は、明細書内において説明するものに限定されない。
【００１４】
図１〜図４に示すように、本実施形態に係るドレープ１００は、患者Ｐの手Ｈの甲Ｈｂの体表の一部を露出する手術用開口部１１３を備える第１シート１１０と、患者Ｐの手Ｈの甲Ｈｂを保持可能な空間部１３１および空間部１３１へ患者Ｐの手Ｈの一部を挿入可能な挿入口１３３を備える袋部１３０を形成するように、第１シート１１０の手術用開口部１１３に重ねて配置されるとともに第１シート１１０に固定された第２シート１２０と、を備えている。
【００１５】
＜第１シート＞
図１に示すように、第１シート１１０は、ドレープ１００を使用する際、患者Ｐの身体の一部を覆うように配置される。第１シート１１０は、図１に示す使用状態（第１シート１１０を広げた状態）において、所定の面積を有する矩形形状をなす。本実施形態では、第１シート１１０は、第１シート１１０を広げた状態で、第２シート１２０よりも大きな面積を有している。そのため、ドレープ１００の使用状態において、第１シート１１０は、第２シート１２０よりも広い範囲で患者Ｐの身体を覆うように配置される。
【００１６】
なお、本実施形態では、第１シート１１０は矩形形状に形成されているが、第１シート１１０の形状は特に限定されない。第１シート１１０は、例えば、円形、楕円形、その他の形状で形成することも可能である。
【００１７】
図２には、使用前の状態のドレープ１００の一部を示す。また、図５には、図２に示す矢印５−５線に沿うドレープ１００の断面図を示しており、図６〜図７には、袋部１３０に患者Ｐの手Ｈを保持した状態の断面図を示している。
【００１８】
第１シート１１０は、図５、図６に示すように、患者Ｐの体表面に対向して配置される第１の層１１１と、第１の層１１１の体表面と対向して配置される側の面と反対側の面に配置された第２の層１１２と、を有している。第１の層１１１は、第１シート１１０に吸収された液体が患者Ｐの体表面に接触して手術台や患者Ｐの身体を汚染することを防止可能な防水性および抗菌性を備えるシートで構成している。また、第２の層１１２は、血液等の体液や生理食塩水等の液体を吸収可能な吸収性を備えるシートで構成している。
【００１９】
図５、図６に示すように、第１の層１１１において生体表面に対向して配置される側の面は、第１シート１１０の裏面１１０ｂを形成している。また、第２の層１１２において第１の層１１１と対向して配置される側の面と反対側の面は、第１シート１１０の表面１１０ａを形成している。なお、第１シート１１０の裏面１１０ｂは、袋部１３０の空間部１３１に手Ｈを挿入した際、手Ｈの体表面に向かい合わせて配置される面（内面）である。
【００２０】
第１の層１１１は、防水性および抗菌性を備えた材料で形成されていれば特に限定されない。第１の層１１１には、例えば、防水抗菌加工が施されたラミネートシート等を用いることができる。また、第２の層１１２は、液体吸収性を備えた材料で形成されていれば特に限定されない。第２の層１１２には、例えば、液体吸収性を備える織布や不織布（ＳＭＳ：Ｓｐｕｎｂｏｎｄ  Ｍｅｌｔ  ｂｌｏｗｎ  Ｓｐｕｎｂｏｎｄ  Ｎｏｎｗｏｖｅｎｓを含む）等で形成されたシートを用いることができる。
【００２１】
図５に示すように、第１シート１１０の裏面１１０ｂには、第１シート１１０の手術用開口部１１３の周辺部を患者Ｐの体表面に取り付けるための粘着部１４０が配置されている。
【００２２】
粘着部１４０は、手術用開口部１１３の形状に沿うような形状とすることができる。図９Ａに示すように、本実施形態では、手術用開口部１１３は、円形に形成しているため、粘着部１４０も円形に形成している。
【００２３】
図５に示すように、ドレープ１００は、粘着部１４０に取り付けられた剥離部材１５０を有している。
【００２４】
剥離部材１５０は、粘着部１４０を覆うとともに粘着部１４０に分離可能に取り付けられた第１剥離部１５１と、手術用開口部１１３を覆うように第１シート１１０の表面１１０ａに配置された第２剥離部１５２と、手術用開口部１１３を挿通し、第１シート１１０の表面１１０ａ側で第２剥離部１５２と連結されるとともに第１シート１１０の裏面１１０ｂ側で第１剥離部１５１と連結された第３剥離部１５３と、を備えている。後述するように、第３剥離部１５３は、第１シート１１０から第２剥離部１５２を離間させる作業を行う際、粘着部１４０から第１剥離部１５１を分離させる。
【００２５】
図５、図９Ａに示すように、第１剥離部１５１は、ドレープ１００を使用する前の状態において、粘着部１４０を覆うように配置される。第１剥離部１５１は、粘着部１４０に取り付けた状態で、粘着部１４０が第２シート１２０や患者Ｐの身体の体表面に付着することを防止する。
【００２６】
第１剥離部１５１は、粘着部１４０を覆うことができるように、平面視上における形状が粘着部１４０と略同一に形成されている。本実施形態では、粘着部１４０は、円形に形成されているため、第１剥離部１５１も円形に形成されている。
【００２７】
図２、図５に示すように、第２剥離部１５２は、ドレープ１００の使用前の状態において、第１シート１１０の表面１１０ａ側から手術用開口部１１３を覆うように配置される。第２剥離部１５２は、手術用開口部１１３を覆うことにより、手術用開口部１１３を介して袋部１３０の空間部１３１内に塵や埃、液体等が入り込むことを防止する。第２剥離部１５２は、例えば、円形に形成することができる。
【００２８】
図５に示すように、第３剥離部１５３は、第１シート１１０の裏面１１０ｂ側において、手術用開口部１１３から離間する方向に向けて一旦折り曲げられており、さらに手術用開口部１１３側に向けて折り返すように折り曲げられている。第３剥離部１５３の手術用開口部１１３側に向けて折り返すように折り曲げられた部分は、第１剥離部１５１に対向して配置されるとともに、第１剥離部１５１と接続されている。
【００２９】
図９Ａに示すように、第３剥離部１５３は、粘着部１４０の周方向において対向する２箇所に配置している。第３剥離部１５３は、所定の幅を備える帯状の部材で構成している。
【００３０】
図６〜図８、図９Ｂには、剥離部材１５０を剥離する際の様子、粘着部１４０を介して第１シート１１０を患者の手Ｈの甲Ｈｂの体表面に固定させる前後の様子を示している。
【００３１】
図６に示すように、ドレープ１００の使用に際し、術者は、患者Ｐの手Ｈを袋部１３０の空間部１３１内に挿入する。次に、術者は、第１シート１１０の表面１１０ａ側で剥離部材１５０の第２剥離部１５２を持ち上げて、第２剥離部１５２を第１シート１１０から離間させる。術者が第２剥離部１５２を持ち上げると、第２剥離部１５２に接続された第３剥離部１５３に対して、第３剥離部１５３を第１シート１１０の裏面１１０ｂ側から移動させる力が付与される。第３剥離部１５３の折り曲げられた部分は、第２剥離部１５２が第１シート１１０から離間するのに伴って図７、図９Ｂに示すように引き伸ばされる。術者が第２剥離部１５２を第１シート１１０からさらに離間させると、第３剥離部１５３に接続された第１剥離部１５１が粘着部１４０から剥がされて、第３剥離部１５３とともに第１剥離部１５１が手術用開口部１１３から袋部１３０の外部へ取り出される。術者は、図８に示すように、第１剥離部１５１を粘着部１４０から取り外した後、粘着部１４０を袋部１３０の空間部１３１内に配置された患者Ｐの手Ｈの甲Ｈｂの体表面に接触させることにより、粘着部１４０を介して第１シート１１０を患者Ｐに固定することができる。
【００３２】
粘着部１４０は、例えば、シリコーン系粘着剤、アクリル系粘着剤、天然ゴム系接着剤、ビニル系接着剤等で形成することができる。
【００３３】
また、剥離部材（第１剥離部１５１、第２剥離部１５２、第３剥離部１５３）１５０は、例えば、紙、プラスチックシート、ラミネートフィルム、織布、不織布等で形成することができる。また、剥離部材１５０の第１剥離部１５１において粘着部１４０を覆うように配置される箇所には、シリコーンの被覆を施したり、フッ素系剥離剤を塗布したりしてもよい。
【００３４】
なお、剥離部材１５０は、例えば、第１剥離部１５１、第２剥離部１５２、第３剥離部１５３が別々の部材で構成されていてもよいし、一体的に繋がった一つの部材で構成されてもよい。また、剥離部材１５０は、第２剥離部１５２を第１シート１１０から離間させる作業に伴って第１剥離部１５１が粘着部１４０から取り外されるように構成されている限り、具体的な構造（例えば、粘着部１４０に第１剥離部１５１が取り付けられている状態における第３剥離部１５３の形状等）は特に限定されない。
【００３５】
図１および図２に示すように、手術用開口部１１３は、例えば、円形に形成できる。また、ドレープ１００をｄＴＲＡの手技に用いる場合、手術用開口部１１３は、図１および図３に示すように、第１シート１１０において患者Ｐの手Ｈの甲Ｈｂの少なくとも一部を露出させる位置に配置することができる。
【００３６】
手術用開口部１１３の形状は、患者Ｐの身体の手術対象部位の少なくとも一部をドレープ１００から露出させることが可能であれば特に限定されない。また、手術用開口部１１３を形成する位置、手術用開口部１１３の大きさ、手術用開口部１１３の個数等も特に限定されない。
【００３７】
第１シート１１０は、当該第１シート１１０が広げられた状態で矩形形状を有するように形成されている場合、例えば、広げた状態の一辺が１０００ｍｍ〜３０００ｍｍを有し、かつ、広げた状態の面積が３×１０６ｍｍ２〜６×１０６ｍｍ２を有するように形成することができる。また、手術用開口部１１３が円形を有する場合であって、ドレープ１００の使用用途がｄＴＲＡの手技である場合、例えば、手術用開口部１１３は、２０ｍｍ〜５０ｍｍの直径を有するように形成することができる。
【００３８】
なお、第１シート１１０を広げた状態において、第１シート１１０の第２シート１２０が重なる部分には、第１シート１１０の他の部分と異なる色を付すことができる。第１シート１１０の第２シート１２０が重なる部分の色が第１シート１１０の他の部分と異なる色を有するように構成されている場合、術者は、第１シート１１０の表面１１０ａ側から第１シート１１０の裏面１１０ｂ側に配置された第２シート１２０の位置を目視で容易に確認することができる。また、術者は、第２シート１２０の位置を目視で確認することにより、第１シート１１０の裏面１１０ｂ側に配置された袋部１３０の位置も容易に確認することができる。
【００３９】
＜第２シート＞
図１、図２、図４、図５に示すように、第２シート１２０は、第１シート１１０の裏面１１０ｂ側に配置している。
【００４０】
第２シート１２０は、図４に示すように、ドレープ１００の使用状態において、略矩形形状をなす。また、第２シート１２０は、ドレープ１００の使用状態において、第１シート１１０よりも小さな面積を有している。
【００４１】
第２シート１２０は、図５、図８に示すように、患者Ｐの体表面に対向して配置される第１の層１２１と、第１の層１２１の体表面と対向して配置される側の面と反対側の面に配置された第２の層１２２と、を有している。第１の層１２１は、血液等の体液や生理食塩水等の液体を吸収可能な吸収性を備えるシートで構成している。また、第２の層１２２は、第２シート１２０に吸収された液体が患者Ｐの体表面に接触して手術台や患者Ｐの身体を汚染することを防止可能な防水性および抗菌性を備えるシートで構成している。
【００４２】
図５、図６に示すように、第１の層１２１において生体表面に対向して配置される側の面は、第２シート１２０の表面１２０ａを形成している。第２の層１２２において第１の層１２１と対向して配置される側の面と反対側の面は、第２シート１２０の裏面１２０ｂを形成している。なお、第２シート１２０の表面１２０ａは、袋部１３０の空間部１３１に手Ｈを挿入した際、手Ｈの体表面に向かい合わせて配置される面（内面）である。
【００４３】
第２シート１２０の第１の層１２１は、例えば、前述した第１シート１１０の第２の層１１２を形成するシートとして例示したものと同一のもので構成することができる。また、第２シート１２０の第２の層１２２は、例えば、前述した第１シート１１０の第１の層１１１を形成するシートとして例示したものと同一のもので構成することができる。
【００４４】
第２シート１２０の表面１２０ａは、第１シート１１０の裏面１１０ｂに向かい合わせて配置している。第２シート１２０は、上記のように第２シート１２０の表面１２０ａが第１シート１１０の裏面１１０ｂに向かい合わせて配置された状態で、第１シート１１０に固定されている。
【００４５】
本実施形態では、図２に示す第２シート１２０の四つの辺１２５ａ、１２５ｂ、１２５ｃ、１２５ｄのうち、三つの辺１２５ｂ、１２５ｃ、１２５ｄの周辺部が第１シート１１０に対して固定されている。第２シート１２０の表面１２０ａと第１シート１１０の裏面１１０ｂとの間には、患者Ｐの手Ｈを保持可能な空間部１３１が形成されている。図２に示す第２シート１２０の第１シート１１０と固定されていない辺１２５ａの周辺部は、袋部１３０の空間部１３１内に患者Ｐの手Ｈを挿入するための挿入口１３３を形成している（図１、図３を参照）。
【００４６】
ドレープ１００に設けられた袋部１３０は、第１シート１１０の手術用開口部１１３の周辺部に位置する第１シート１１０の一部と、手術用開口部１１３を第１シート１１０の裏面１１０ｂ側から覆う第２シート１２０とにより構成されている。
【００４７】
袋部１３０の空間部１３１は、手術用開口部１１３および挿入口１３３のみを介して袋部１３０の外部と連通している。そのため、袋部１３０は、袋部１３０の空間部１３１に保持した液体が袋部１３０の外部に漏洩することを好適に防止することができる。
【００４８】
挿入口１３３の大きさは、患者Ｐの手Ｈを挿入可能な限り特に限定されない。例えば、第２シート１２０の一辺１２５ａを第１シート１１０に固定する範囲（固定しろ）を調整することにより、挿入口１３３の大きさを変更することが可能である。また、空間部１３１の体積は、患者Ｐの手Ｈを保持可能な限り特に限定されない。例えば、第２シート１２０の大きさを変更したり、第２シート１２０の三つの辺１２５ｂ、１２５ｃ、１２５ｄの周辺部にマチを設けたり、第２シート１２０を第１シート１１０に固定する範囲を変更したりすることにより、空間部１３１の体積を変更することが可能である。
【００４９】
なお、ドレープ１００における手術用開口部１１３と挿入口１３３の相対的な位置関係は特に限定されない。ただし、手術用開口部１１３と挿入口１３３（第２シート１２０の一辺１２５ａ）が図２、図３に示す平面図上において重なるように配置されたり、手術用開口部１１３と挿入口１３３が近接した位置に配置されたりすると、袋部１３０内に保持した液体が挿入口１３３を介して外部に漏洩し易くなる。そのため、挿入口１３３は、手術用開口部１１３が形成された位置から手Ｈの挿入方向と反対側（図２、図３に示す平面図上における斜め右上側）へ所定の距離だけ離れた位置に配置することが好ましい。
【００５０】
第１シート１１０と第２シート１２０を固定する方法は特に限定されないが、例えば、融着や接着を採用することができる。
【００５１】
本実施形態では、第２シート１２０は矩形形状に形成されているが、第２シート１２０の形状は特に限定されない。第２シート１２０は、例えば、円形、楕円形、その他の形状で形成することも可能である。
【００５２】
第２シート１２０は、当該第２シート１２０が広げられた状態で矩形形状を有するように形成されている場合、例えば、広げた状態の一辺が１５０ｍｍ〜３００ｍｍを有し、かつ、広げた状態の面積が３×１０４ｍｍ２〜９×１０４ｍｍ２を有するように形成することができる。
【００５３】
＜ドレープの使用手順＞
次に、ドレープ１００の使用手順を説明する。以下では、ドレープ１００をｄＴＲＡの手技に使用する際の手順を説明する。
【００５４】
術者は、患者Ｐの手Ｈをドレープ１００の袋部１３０の挿入口１３３から空間部１３１内に挿入する。なお、患者Ｐの手Ｈに対して袋部１３０の空間部１３１の体積が小さい場合、術者は、図３に示すように、患者の各指ｆ１、ｆ２、ｆ３、ｆ４、ｆ５を折り曲げた状態で空間部１３１内に手Ｈを保持させることができる。
【００５５】
次に、術者は、剥離部材１５０を粘着部１４０から取り外す。術者は、図７、図９Ｂに示すように、袋部１３０の空間部１３１の外部（第１シート１１０の表面１１０ａ側）で第２剥離部１５２を持ち上げることにより、粘着部１４０から第１剥離部１５１を取り外す。術者は、粘着部１４０から第１剥離部１５１を取り外した後、粘着部１４０を患者Ｐの手Ｈに接触させることにより、第１シート１１０の裏面１１０ｂに位置する手術用開口部１１３の周辺部を手Ｈに固定させる。これにより、術者は、手術用開口部１１３を介して患者Ｐの手Ｈの一部を袋部１３０の空間部１３１の外部に露出させた状態とすることができる。
【００５６】
次に、術者は、図１に示すように、患者Ｐの身体の一部（例えば、下肢、腹部、胸部等の任意の部分）が覆われるように第１シート１１０を広げる。また、術者は、ｄＴＲＡの手技を行う際、図１に示すように、患者Ｐの前腕部Ａおよび手（右手）Ｈが患者Ｐの胸部上や腹部上に配置されるように患者Ｐの体勢を整える。
【００５７】
患者Ｐの手Ｈに対する手術を行っている最中に、患者Ｐから体液が流れ出たり、術者が生理食塩水を使用したりすることがある。体液や生理食塩水等の液体は、第１シート１１０の手術用開口部１１３を介して袋部１３０の空間部１３１内に流入することがある。流入した液体は、袋部１３０の空間部１３１によって保持される。そのため、ドレープ１００は、手術中に発生した液体が患者の手Ｈ付近から手術台や患者Ｐの身体の別の部位などへ漏洩することを防止できる。
【００５８】
また、手術中に患者Ｐが手Ｈや前腕部Ａを動かすと、手Ｈの体表面と袋部１３０の内面（第１シートの裏面１１０ｂ）との間に隙間が発生することがある。ドレープ１００は、上記のように患者Ｐが身体の一部を動かすことにより、患者Ｐの手Ｈの体表面とドレープ１００の第１シート１１０の裏面１１０ｂとの間に隙間が発生したような場合においても、第１シート１１０の手術用開口部１１３を介して袋部１３０の空間部１３１内に流入した液体を袋部１３０の空間部１３１で保持することができる。そのため、ドレープ１００は、手術中に発生した液体が患者の手Ｈ付近から手術台や患者Ｐの身体の別の部位などへ漏洩することを防止できる。
【００５９】
また、本実施形態では、第１シート１１０の第２の層１１２および第２シート１２０の第１の層１２１が液体を吸収可能な吸収性を備える。そのため、ドレープ１００は、袋部１３０の空間部１３１内に保持した液体を第１シート１１０の第２の層１１２および第２シート１２０の第１の層１２１で吸収することができる。したがって、ドレープ１００は、液体が手術台や患者Ｐの身体へ漏洩することをより一層効果的に防止できる。また、ドレープ１００は、第１シート１１０の第１の層１１１および第２シート１２０の第２の層１２２が抗菌性および防水性を備えるため、ドレープ１００に吸収された液体が清潔野を汚染することを防止できる。なお、第１シート１１０の第１の層１１１および第２シート１２０の第２の層１２２の少なくとも一方がラミネートシートで構成されている場合、袋部１３０の空間部１３１から熱が逃げにくくなるため、袋部１３０の保温性を高めることができる。
【００６０】
以上、本実施形態に係るドレープ１００は、患者Ｐの手Ｈの体表面の一部を露出する手術用開口部１１３を備える第１シート１１０と、患者Ｐの手Ｈの一部を保持可能な空間部１３１および空間部１３１へ患者Ｐの手Ｈを挿入可能な挿入口１３３を備える袋部１３０を形成するように、第１シート１１０の手術用開口部１１３に重ねて配置されるとともに第１シート１１０に固定された第２シート１２０と、を備えている。
【００６１】
本実施形態に係るドレープ１００によれば、術者は、第１シート１１０に形成された手術用開口部１１３を介して袋部１３０の空間部１３１内に保持した患者の手Ｈにアクセスすることができる。また、ドレープ１００は、手術中に発生した液体を袋部１３０の空間部１３１内で保持することができる。そのため、ドレープ１００は、患者の体表面とドレープ１００との間に隙間が生じた場合であっても、手術中に発生した液体がドレープ１００から漏洩して手術台や患者Ｐの身体を汚染することを防止できる。
【００６２】
また、第１シート１１０は、第２シート１２０よりも大きな面積を有しており、第２シート１２０は、第１シート１１０の裏面１１０ｂ側に袋部１３０が形成されるように第１シート１１０の裏面１１０ｂに固定されている。ドレープ１００は、袋部１３０が第１シート１１０の裏面１１０ｂ側に配置されているため、患者Ｐの手Ｈを袋部１３０に挿入するだけで容易に装着可能である。また、第２シート１２０は患者Ｐの手Ｈが挿入可能な大きさでよいため、患者Ｐは第１シート１１０の裏面１１０ｂ側で前腕部Ａや肘をある程度自由に動かすことができる。そのため、ドレープ１００は、手術中に一定の姿勢を取り続けることによる患者Ｐの疲労を最小限にすることができる。
【００６３】
また、第１シート１１０の裏面１１０ｂには、手術用開口部１１３の周辺部を患者Ｐの体表面に取り付けるための粘着部１４０が配置されている。術者は、粘着部１４０を使用することにより、第１シート１１０の手術用開口部１１３の周辺部を患者Ｐの体表面に貼り付けて固定することができる。それにより、手術用開口部１１３に配置した患者Ｐの手Ｈが、手術の最中に手術用開口部１１３から位置ずれすることを防止できる。
【００６４】
また、ドレープ１００は、剥離部材１５０を有している。剥離部材１５０は、粘着部１４０を覆うとともに粘着部１４０に分離可能に取り付けられた第１剥離部１５１と、手術用開口部１１３を覆うように第１シート１１０の表面１１０ａに配置された第２剥離部１５２と、手術用開口部１１３を挿通し、第１シート１１０の表面１１０ａ側で第２剥離部１５２と連結されるとともに第１シート１１０の裏面１１０ｂ側で第１剥離部１５１と連結された第３剥離部１５３と、を備えている。第３剥離部１５３は、第１シート１１０から第２剥離部１５２を離間させるのに伴って粘着部１４０から第１剥離部１５１を分離させるように構成されている。術者は、粘着部１４０を患者Ｐの手Ｈの体表面に固定する際、袋部１３０の空間部１３１の外側で第２剥離部１５２を第１シート１１０から離間させる作業を行うことにより、粘着部１４０から第１剥離部１５１を取り外すことができる。したがって、術者は、ドレープ１００の粘着部１４０から剥離部材１５０を取り外す作業および粘着部１４０を患者Ｐの生体表面に貼り付ける作業を容易に行うことができる。
【００６５】
また、第１シート１１０の手術用開口部１１３は、第１シート１１０および第２シート１２０を患者Ｐに装着した状態において、患者Ｐの手Ｈの甲Ｈｂの少なくとも一部を露出させる位置に配置される。術者は、手術用開口部１１３を介して患者Ｐの手Ｈの甲Ｈｂにアクセスすることにより、ｄＴＲＡの手技を円滑に進めることができる。また、術者は、手Ｈのような複雑な形状を有する部位を術野とするｄＴＲＡの手技にドレープ１００を使用することにより、ｄＴＲＡの手技中に発生した液体が手術台や患者の身体に漏洩することを好適に防止することができる。
【００６６】
（第１実施形態の変形例）
次に、第１実施形態の変形例に係るドレープ２００を説明する。本変形例の説明では、第１実施形態で既に説明した構成等についての詳細な説明は省略する。また、本変形例の説明で特に説明がない内容については、第１実施形態と同一のものとすることができる。
【００６７】
図１０および図１１は、第１実施形態の変形例に係るドレープ２００の使用状態を示す平面図である。また、図１２および図１３は、第１実施形態の変形例に係るドレープ２００が備える貫通孔２６１ａ、２６１ｂ、２６１ｃ、２６１ｄ、２６１ｅおよび漏洩抑制機構２７０を説明するための図であって、図１０に示す矢印１２方向から見た矢示図を拡大および簡略化して示している。
【００６８】
図１０、図１１に示すように、ドレープ２００が備える袋部２３０は、挿入口１３３が配置された側と対向する側で空間部１３１から患者Ｐの各指ｆ１、ｆ２、ｆ３、ｆ４、ｆ５の各々を突出させる複数の貫通孔２６１ａ、２６１ｂ、２６１ｃ、２６１ｄ、２６１ｅを有している。なお、符号ｆ１は親指を示し、符号ｆ２は人差し指を示し、符号ｆ３は中指を示し、符号ｆ４は薬指を示し、符号ｆ５は小指を示す。
【００６９】
上記の「挿入口が配置された側と対向する側」とは、袋部２３０に患者Ｐの手Ｈを挿入した状態で、挿入口１３３側から見て、手Ｈの各指ｆ１、ｆ２、ｆ３、ｆ４、ｆ５が配置される側である（図１０を参照）。
【００７０】
ドレープ２００の袋部２３０は、前述した実施形態と同様に、第１シート２１０の裏面２１０ｂの一部と、第１シート２１０の裏面２１０ｂに固定された第２シート２２０により形成されている。また、第２シート１２０の第１シート２１０と固定されていない一辺１２５ａの周辺部には、挿入口１３３が形成されている。
【００７１】
ドレープ２００は、第２シート２２０の一辺１２５ｂの一部および一辺１２５ｃの一部が第１シート２１０と固定されていない。第２シート２２０の上記各辺１２５ｂ、１２５ｃにおいて第１シート２１０と固定されていない部分は、患者Ｐの各指ｆ１、ｆ２、ｆ３、ｆ４、ｆ５を空間部１３１の外部に突出させる貫通孔２６１ａ、２６１ｂ、２６１ｃ、２６１ｄ、２６１ｅを形成している。
【００７２】
本変形例に係るドレープ２００を使用する際、術者は、袋部２３０に形成された貫通孔２６１ａ、２６１ｂ、２６１ｃ、２６１ｄ、２６１ｅの各々に、患者Ｐの各指ｆ１、ｆ２、ｆ３、ｆ４、ｆ５を貫通させて配置する。術者は、上記のように各貫通孔２６１ａ、２６１ｂ、２６１ｃ、２６１ｄ、２６１ｅの各々に患者Ｐの各指ｆ１、ｆ２、ｆ３、ｆ４、ｆ５を貫通させて配置することにより、手Ｈの大きさが異なる患者Ｐに対してドレープ２００を使用する際、患者Ｐの手Ｈの大きさに関わらず、袋部１３０に患者Ｐの手Ｈを保持させることが可能になる。
【００７３】
なお、各貫通孔２６１ａ、２６１ｂ、２６１ｃ、２６１ｄ、２６１ｅを形成する位置や、各貫通孔２６１ａ、２６１ｂ、２６１ｃ、２６１ｄ、２６１ｅの大きさ等は特に限定されない。
【００７４】
図１２および図１３には、貫通孔２６１ａに配置された漏洩抑制機構２７０を示している。漏洩抑制機構２７０は、貫通孔２６１ａから突出した患者Ｐの親指ｆ１の一部と接触することにより貫通孔２６１ａからの液体の漏洩を抑制する。なお、ここでは、貫通孔２６１ａに配置された漏洩抑制機構２７０を説明するが、ドレープ２００の他の貫通孔２６１ｂ、２６１ｃ、２６１ｄ、２６１ｅにも、貫通孔２６１ａと同様に漏洩抑制機構２７０を配置している。
【００７５】
図１２に示すように、漏洩抑制機構２７０は、複数のスリット２７２が形成された本体部２７１と、本体部２７１の略中心位置に設けられた中心孔２７３と、を有している。
【００７６】
漏洩抑制機構２７０の本体部２７１は、例えば、可撓性を備える樹脂材料で構成することができる。本体部２７１に形成されたスリット２７２は、本体部２７１の外周部から中心孔２７３に向かって幅が大きくなっている。そのため、本体部２７１は、中心孔２７３付近が最も変形し易い。
【００７７】
漏洩抑制機構２７０の本体部２７１は、図１２に示すように、第１シート２１０と第２シート２２０の間に配置することができる。漏洩抑制機構２７０は、漏洩抑制機構２７０の本体部２７１と第１シート２１０との間、およびの漏洩抑制機構２７０の本体部２７１と第２シート２２０との間に隙間が形成されないように配置している。漏洩抑制機構２７０は、接着や融着により、各シート２１０、２２０に固定することができる。
【００７８】
図１３に示すように、患者Ｐは、漏洩抑制機構２７０の本体部２７１に形成された中心孔２７３に親指ｆ１を貫通させることにより、親指ｆ１を袋部１３０の外部へ突出させることができる。本体部２７１の中心孔２７３の周辺部は、中心孔２７３を貫通する親指ｆ１の外周面と密着するように変形する。漏洩抑制機構２７０の本体部２７１は、親指ｆ１と貫通孔２６１ａの間に隙間が形成されることを防止し、親指ｆ１と貫通孔２６１ａとの間から液体が漏洩することを抑制する。
【００７９】
なお、漏洩抑制機構２７０の具体的な構造（例えば、スリットの形状や個数等）は、図示したものに限定されない。
【００８０】
以上、本変形例に係るドレープ２００は、前述した第１実施形態に係るドレープ１００と同様に、第１シート２１０の手術用開口部１１３を介して袋部２３０の空間部１３１内に流入した液体を袋部２３０内で保持することができる。そのため、患者Ｐの手Ｈの体表面とドレープ２００との間に隙間が生じた場合であっても、液体がドレープ２００から漏洩することを防止できる。
【００８１】
また、ドレープ２００が備える袋部２３０は、挿入口１３３が配置された側と対向する側で空間部１３１から患者Ｐの各指ｆ１、ｆ２、ｆ３、ｆ４、ｆ５を突出させる複数の貫通孔２６１ａ、２６１ｂ、２６１ｃ、２６１ｄ、２６１ｅを有する。そのため、ドレープ２００は、手Ｈの大きさが異なる患者Ｐに対してドレープ２００を使用する際に、患者Ｐの個体差により、袋部２３０の空間部１３１内に手Ｈが収まりきらないような場合においても、手Ｈの甲Ｈｂの所望の部分を手術用開口部１１３に配置することができる。したがって、ドレープ２００は、様々な患者Ｐに使用することが可能になる。
【００８２】
また、ドレープ２００が備える袋部２３０は、各貫通孔２６１ａ、２６１ｂ、２６１ｃ、２６１ｄ、２６１ｅから突出した各指ｆ１、ｆ２、ｆ３、ｆ４、ｆ５の一部と接触することにより各貫通孔２６１ａ、２６１ｂ、２６１ｃ、２６１ｄ、２６１ｅからの液体の漏洩を抑制する漏洩抑制機構２７０を有する。そのため、各指ｆ１、ｆ２、ｆ３、ｆ４、ｆ５と各貫通孔２６１ａ、２６１ｂ、２６１ｃ、２６１ｄ、２６１ｅとの間に隙間が形成されることを防止でき、袋部２３０から液体が漏洩することを抑制できる。
【００８３】
なお、本変形例では、各貫通孔２６１ａ、２６１ｂ、２６１ｃ、２６１ｄ、２６１ｅに漏洩抑制機構２７０を配置した形態を説明したが、漏洩抑制機構２７０の配置は省略することも可能である。また、本変形例では、貫通孔として患者Ｐの手Ｈの指を突出させる形態を説明したが、貫通孔から突出させる身体の部位は、ドレープを使用する手技の内容等に応じて適宜変更することが可能である。
【００８４】
（第２実施形態）
次に、第２実施形態に係るドレープ３００を説明する。第２実施形態の説明では、第１実施形態およびその変形例で既に説明した構成等についての詳細な説明は省略する。また、第２実施形態の説明で特に説明がない内容については、第１実施形態およびその変形例と同一のものとすることができる。
【００８５】
図１４は、第２実施形態に係るドレープ３００の使用状態を示す平面図、図１５は、図５に対応する手術用開口部１１３付近の断面図、図１６は、図１４に示す矢印１６−１６線に沿う断面図である。
【００８６】
図１４、図１６に示すように、第２実施形態に係るドレープ３００は、第２シート３２０が第１シート３１０よりも大きな面積を有している。また、第１シート３１０は、第２シート３２０の表面３２０ａ側に袋部３３０が形成されるように第２シート３２０の表面３２０ａに固定されている。
【００８７】
第１シート３１０と第２シート３２０の大小関係は、前述した第１実施形態と同様に、ドレープ３００の使用状態（ドレープ３００を広げた状態）での大小関係を意味する。
【００８８】
第１シート３１０は、図１５、図１６に示すように、第１の層１１１と第２の層１１２で形成されている。第１の層１１１には粘着部１４０が設けられている。また、粘着部１４０には剥離部材１５０の第１剥離部１５１を取り付けている。
【００８９】
第２シート３２０は、図１５、図１６に示すように、第１の層１２１と第２の層１２２で形成されている。
【００９０】
図１５、図１６に示すように、第１シート３１０の第１の層１１１において生体表面に向かい合わせて配置される側の面は、第１シート３１０の裏面３１０ｂを形成している。また、第１シート３１０の第２の層１１２において第１の層１１１と対向して配置される側の面と反対側の面は、第１シート３１０の表面３１０ａを形成している。
【００９１】
第２シート３２０の第１の層１２１において生体表面に向かい合わせて配置される側の面は、第２シート３２０の表面３２０ａを形成している。また、第２シート３２０の第２の層１２２において第１の層１２１と対向して配置される側の面と反対側の面は、第２シート３２０の裏面３２０ｂを形成している。
【００９２】
図１５に示すように、第２シート３２０の表面３２０ａは、第１シート３１０の手術用開口部１１３を第１シート３１０の裏面３１０ｂ側から覆うように、第１シート３１０の裏面３１０ｂに向かい合わせて配置している。第２シート３２０は、上記のように第２シート３２０の表面３２０ａが第１シート３１０の裏面３１０ｂに向かい合わせて配置された状態で、第１シート３１０に固定されている。第１シート３１０は、３つの辺３１５ｂ、３１５ｃ、３１５ｄの周辺部が第２シート３２０の表面３２０ａに固定されている。第１シート３１０において第２シート３２０に固定されていない一辺３１５ａの周辺部は、袋部１３０に連通する挿入口１３３を形成している。
【００９３】
ドレープ３００に設けられた袋部３３０は、手術用開口部１１３が形成された第１シート３１０と、手術用開口部１１３を第１シート３１０の裏面３１０ｂ側から覆う第２シート３２０の一部とで構成されている。
【００９４】
第１シート３１０および第２シート３２０は、広げた状態で矩形形状をなすように形成されている。第２シート３２０の広げた状態における面積は、例えば、第１実施形態に係る第１シート１１０と同様の大きさで形成することができる。また、第１シート３１０の広げた状態における面積は、例えば、第１実施形態に係る第２シート１２０と同様の大きさで形成することができる。なお、第１シート３１０および第２シート３２０の形状、大きさ、第２シート３２０において第１シート３１０が固定される位置等は、特に限定されない。
【００９５】
また、ドレープ３００における手術用開口部１１３と挿入口１３３の相対的な位置関係は特に限定されない。ただし、前述した第１実施形態に係るドレープ１００と同様に、手術用開口部１１３と挿入口１３３（第１シート３１０の一辺３１５ａ）が図１４に示す平面図上において重なるように配置されたり、手術用開口部１１３と挿入口１３３が近接した位置に配置されたりすると、袋部１３０内に保持した液体が挿入口１３３を介して外部に漏洩し易くなる。そのため、挿入口１３３は、手術用開口部１１３が形成された位置から手Ｈの挿入方向と反対側（図１４に示す平面図上における斜め右上側）へ所定の距離だけ離れた位置に配置することが好ましい。
【００９６】
第１シート３１０と第２シート３２０は、例えば、異なる色が付されていてもよい。第１シート３１０と第２シート３２０の色が異なることにより、術者は、第１シート３１０の位置を目視で容易に確認することができる。また、術者は、第１シート３１０の位置を目視で確認することにより、袋部３３０の位置も容易に確認することが可能になる。
【００９７】
図１４に示すように、第２シート３２０は、第２シート３２０の裏面３２０ｂ側（図１５を参照）から第２シート３２０の表面３２０ａ側へ患者Ｐの身体の一部を通すための挿通孔３２７を有する。
【００９８】
挿通孔３２７は、患者Ｐの手Ｈよりも患者Ｐの身体の中枢側に位置する身体の一部を挿通可能に構成している。本実施形態では、袋部３３０には患者Ｐの手Ｈが保持されるため、挿通孔３２７は手Ｈよりも身体の中枢側に位置する前腕部Ａを挿入可能に構成している。
【００９９】
患者は、ドレープ３００を装着する際、図１４に示すように、第２シート３２０に形成された挿通孔３２７に前腕部Ａを通すことにより、手Ｈを第２シート３２０の表面３２０ａ側に配置することができる。また、術者は、第２シート３２０の裏面３２０ｂを患者の体表面側に配置することにより、ドレープ３００により身体が汚染されることを防止しつつ、第２シート３２０の表面３２０ａ側に配置した手Ｈを袋部３３０の空間部１３１内に挿入することができる。
【０１００】
前述した第１実施形態では、ドレープ１００の装着手順として、袋部１３０内に患者Ｐの手Ｈを挿入し、粘着部１４０により手Ｈに第１シート１１０を固定した後、第１シート１１０を広げる手順を説明した。第２実施形態に係るドレープ３００を使用する場合、例えば、下記のような手順を採用することができる。術者は、第２シート３２０を広げて、挿通孔３２７に患者Ｐの前腕部Ａを通す。次に、術者は、袋部３３０内に患者Ｐの手Ｈを挿入する。術者は、患者Ｐの手Ｈを袋部３３０内に挿入した後、粘着部１４０により手Ｈに第１シート３１０を固定することができる。
【０１０１】
なお、挿通孔３２７の形状、大きさ、第２シート３２０において挿通孔３２７が形成される位置などは特に限定されない。
【０１０２】
図１６に示すように、術者は、第２実施形態に係るドレープ３００を使用する際、第１実施形態に係るドレープ１００を使用する際と同様に、粘着部１４０から剥離部材１５０の第１剥離部１５１を取り外し、粘着部１４０を患者Ｐの手Ｈの体表面に固定する。術者は、粘着部１４０を使用することにより、第１シート３１０の裏面３１０ｂ側に位置する手術用開口部１１３の周辺部を患者Ｐの手Ｈの体表面に固定することができる。
【０１０３】
以上、本実施形態に係るドレープ３００は、前述した第１実施形態に係るドレープ１００と同様に、第１シート３１０の手術用開口部１１３を介して袋部３３０の空間部１３１内に流入した液体を袋部３３０内で保持することができる。そのため、患者Ｐの手Ｈの体表面とドレープ３００との間に隙間が生じた場合であっても、液体がドレープ３００から漏洩することを防止できる。
【０１０４】
また、本実施形態では、第２シート３２０は、第１シート３１０よりも大きな面積を有しており、第１シート３１０は、第２シート３２０の表面３２０ａ側に袋部３３０が形成されるように第２シート３２０の表面３２０ａに固定されている。そのため、術者は、ドレープ３００を使用する際、第２シート３２０の表面３２０ａ側に配置された袋部３３０の位置を目視により容易に確認することができる。したがって、袋部３３０へ患者Ｐの手Ｈを容易に案内することができる。
【０１０５】
また、本実施形態では、第２シート３２０は、第２シート３２０の裏面３２０ｂ側から第２シート３２０の表面３２０ａ側へ患者Ｐの身体の一部を通すための挿通孔３２７を有している。そのため、術者は、第２シート３２０の表面３２０ａ側に袋部３３０が配置されたドレープ３００の使用において、第２シート３２０により患者Ｐの身体の一部を覆いつつ、挿通孔３２７を介して第２シート３２０の裏面３２０ｂ側から第２シート３２０の表面３２０ａ側へ身体の一部（例えば、前腕部Ａ）を挿通させることができる。また、術者は、挿通孔３２７に挿通された患者Ｐの身体の一部よりも末梢側の部位（例えば、手Ｈ）を袋部３３０に挿入させることができる。そのため、術者は、ドレープ３００を使用することにより、第１シート３１０よりも大きな面積を有する第２シート３２０により患者Ｐの身体を広範囲に覆いつつ、第２シート３２０の表面３２０ａ側に配置した袋部３３０に患者Ｐの身体の一部を挿入させることができる。
【０１０６】
（第２実施形態の変形例１）
次に、第２実施形態の変形例１に係るドレープ４００を説明する。本変形例の説明では、前述した各実施形態および各変形例で既に説明した構成等についての詳細な説明は省略する。また、本変形例の説明で特に説明がない内容については、各実施形態および各変形例と同一のものとすることができる。
【０１０７】
図１７は、第２実施形態の変形例１に係るドレープ４００を示す平面図である。
【０１０８】
本変形例に係るドレープ４００は、前述した第２実施形態に係るドレープ３００に、第１実施形態の変形例で説明した貫通孔および漏洩抑制機構の構造（図１０〜図１３を参照）が適用されたものである。
【０１０９】
ドレープ４００は、手術用開口部１１３が形成された第１シート４１０と、第１シート４１０の裏面に固定された第２シート４２０と、を備える。
【０１１０】
袋部４３０には、患者Ｐの各指ｆ１、ｆ２、ｆ３、ｆ４、ｆ５の各々を袋部４３０の空間部１３１の外部へ突出させる複数の貫通孔４６１ａ、４６１ｂ、４６１ｃ、４６１ｄ、４６１ｅが形成されている。また、各貫通孔４６１ａ、４６１ｂ、４６１ｃ、４６１ｄ、４６１ｅには、袋部４３０の空間部１３１から液体の漏洩を抑制するための漏洩抑制機構（図示省略）が配置されている。なお、各貫通孔４６１ａ、４６１ｂ、４６１ｃ、４６１ｄ、４６１ｅの形成方法や、漏洩抑制機構の構造は、前述した第１実施形態の変形例と同一のものとすることができる。
【０１１１】
本変形例に係るドレープ４００は、前述した第１実施形態に係るドレープ１００と同様に、第１シート４１０の手術用開口部１１３を介して袋部４３０の空間部１３１内に流入した液体を袋部４３０内で保持することができる。そのため、患者Ｐの手Ｈの体表面とドレープ４００との間に隙間が生じた場合であっても、液体がドレープ４００から漏洩することを防止できる。
【０１１２】
また、ドレープ４００が備える袋部４３０は、挿入口１３３が配置された側と対向する側で空間部１３１から患者Ｐの各指ｆ１、ｆ２、ｆ３、ｆ４、ｆ５を突出させる複数の貫通孔４６１ａ、４６１ｂ、４６１ｃ、４６１ｄ、４６１ｅを有する。そのため、ドレープ４００は、手Ｈの大きさが異なる患者Ｐに対してドレープ４００を使用する際に、患者Ｐの個体差により袋部４３０の空間部１３１内に手Ｈが収まりきらないような場合においても、手Ｈの甲Ｈｂの所望の部分を手術用開口部１１３に配置することができる。したがって、ドレープ４００は、様々な患者Ｐに使用することが可能になる。
【０１１３】
また、ドレープ４００が備える袋部４３０は、各貫通孔４６１ａ、４６１ｂ、４６１ｃ、４６１ｄ、４６１ｅから突出した各指ｆ１、ｆ２、ｆ３、ｆ４、ｆ５の一部と接触することにより各貫通孔４６１ａ、４６１ｂ、４６１ｃ、４６１ｄ、４６１ｅからの液体の漏洩を抑制する漏洩抑制機構を有する。そのため、各指ｆ１、ｆ２、ｆ３、ｆ４、ｆ５と各貫通孔４６１ａ、４６１ｂ、４６１ｃ、４６１ｄ、４６１ｅとの間に隙間が形成されることを防止でき、袋部４３０から液体が漏洩することを抑制できる。
【０１１４】
（第２実施形態の変形例２）
次に、第２実施形態の変形例２に係るドレープ５００を説明する。本変形例の説明では、前述した各実施形態および各変形例で既に説明した構成等についての詳細な説明は省略する。また、本変形例の説明で特に説明がない内容については、各実施形態および各変形例と同一のものとすることができる。
【０１１５】
図１８は、第２実施形態の変形例２に係るドレープ５００を示す平面図である。
【０１１６】
本変形例に係るドレープ５００は、第２シート５２０と、第２シート５２０に対する固定が可能な複数の第１シート５１０Ａ、５１０Ｂ、５１０Ｃと、を備えている。各第１シート５１０Ａ、５１０Ｂ、５１０Ｃの裏面（第２シート５２０の表面５２０ａに向かい合わせられる面）には、第２シート５２０の表面５２０ａに対する固定が可能な固定部材５１８が設けられている。
【０１１７】
固定部材５１８は、第２シート５２０の表面５２０ａへの固定が可能な構造を有するものであれば特に限定されないが、例えば、両面テープなどで構成することができる。
【０１１８】
図１８に示すように、各第１シート５１０Ａ、５１０Ｂ、５１０Ｃは、各第１シート５１０Ａ、５１０Ｂ、５１０Ｃを第２シート５２０の表面５２０ａに固定した際に、各第１シート５１０Ａ、５１０Ｂ、５１０Ｃにおいて挿入口が形成される部分５１９に、固定部材５１８を配置していない。
【０１１９】
第１シート５１０Ａ、第１シート５１０Ｂ、第１シート５１０Ｃの各々には、シートごとに異なるパターン（形状、大きさ、位置、個数等）の手術用開口部１１３が形成されている。本変形例に係るドレープ５００を使用する際、術者は、患者Ｐの体型、手術時の患者Ｐの体勢等を考慮して、第１シート５１０Ａ、第１シート５１０Ｂ、第１シート５１０Ｃの中から任意のものを選択する。術者は、第２シート５２０に対して選択した第１シートを付け替えることにより、手技の最中に、所望の手術用開口部１１３をドレープ５００に設けることができる。
【０１２０】
なお、図１８には３つの第１シート５１０Ａ、５１０Ｂ、５１０Ｃを例示しているが、一つの第２シート５２０に対して準備される第１シートの個数は特に限定されない。また、図１８に示す各第１シート５１０Ａ、５１０Ｂ、５１０Ｃに形成された手術用開口部１１３のパターンも特に限定されない。また、各第１シート５１０Ａ、５１０Ｂ、５１０Ｃは、各々の形状や大きさが異なるものであってもよい。
【０１２１】
（第２実施形態の変形例３）
次に、第２実施形態の変形例３に係るドレープ６００を説明する。本変形例の説明では、前述した各実施形態および各変形例で既に説明した構成等についての詳細な説明は省略する。また、本変形例の説明で特に説明がない内容については、各実施形態および各変形例と同一のものとすることができる。
【０１２２】
図１９は、第２実施形態の変形例３に係るドレープ６００を示す平面図である。
【０１２３】
本変形例に係るドレープ６００は、第１シート６１０に形成された複数の切込み部６１３ａ、６１３ｂを有している。
【０１２４】
ドレープ６００の第２シート６２０は、第１シート６１０の裏面側に配置している。
【０１２５】
術者は、第１シート６１０の切込み部６１３ａ、６１３ｂを切り開くことにより、第１シート６１０において切込み部６１３ａ、６１３ｂで囲われていた部分に、袋部６３０の空間部１３１に連通する手術用開口部を形成することができる。
【０１２６】
切込み部６１３ａ、６１３ｂは、第１シート６１０を破断し易くするように第１シート６１０の厚み方向に切り込まれた薄肉部により形成している。切込み部６１３ａ、６１３ｂは、例えば、円形に形成することができる。
【０１２７】
なお、切込み部６１３ａ、６１３ｂの形状、位置、切込み部の個数、第１シート６１０に切り込み部を形成する方法等は特に限定されない。
【０１２８】
本変形例に係るドレープ６００を使用する際、術者は、手術用開口部を形成する切込み部６１３ａ、６１３ｂを選択し、選択した切込み部６１３ａ、６１３ｂを切り開くことにより、第１シート６１０の所望の位置に手術用開口部を設けることができる。術者は、手術用開口部を形成する位置を選択することにより、患者Ｐの手Ｈの露出させる部分を選択することができる。
【０１２９】
＜剥離部材の変形例＞
次に、変形例に係る剥離部材１５０Ａを説明する。本変形例の説明では、前述した各実施形態で既に説明した構成等についての詳細な説明は省略する。また、本変形例の説明で特に説明がない内容については、各実施形態と同一のものとすることができる。
【０１３０】
図２０Ａは、剥離部材１５０Ａを拡大して示すドレープの平面図である。また、図２０Ｂは、図２０Ａに示す矢印２０Ｂ−２０Ｂ線に沿うドレープの断面図である。なお、以下では、第１実施形態に係るドレープ１００に剥離部材１５０Ａを適用した例を説明するが、剥離部材１５０Ａは前述した他の実施形態についても同様に適用することが可能である。
【０１３１】
図２０Ａ、図２０Ｂに示すように、剥離部材１５０Ａの第１剥離部１５１には、第１剥離部１５１の一部が切り欠かれた切り欠き部１５１ａが形成されている。剥離部材１５０Ａの第３剥離部１５３は、一つの帯状の部材で構成している。第３剥離部１５３は、第１剥離部１５１において切り欠き部１５１ａが形成された位置と近接した位置に接続している。
【０１３２】
術者は、剥離部材１５０Ａを取り外す際、第１シート１１０の表面１１０ａ側で第２剥離部１５２を持ち上げる。術者が第２剥離部１５２を持ち上げると、第２剥離部１５２に接続された第３剥離部１５３に対して、第３剥離部１５３を第１シート１１０の裏面１１０ｂ側から移動させる力が付与される。第３剥離部１５３に接続された第１剥離部１５１は、第３剥離部１５３と接続された部分を介して粘着部１４０から剥がされる。術者がさらに第２剥離部１５２を持ち上げると、図２０Ａの反時計周りの方向に沿って第１剥離部１５１が粘着部１４０から剥がされる。術者は、切り欠き部１５１ａ付近に位置する第１剥離部１５１の端部まで第１剥離部１５１を粘着部１４０から取り外すことにより、手術用開口部１１３を介して第１剥離部１５１および第３剥離部１５３を袋部１３０の外部へ取り出すことが可能になる。
【０１３３】
以上のように、術者は、袋部１３０の空間部１３１の外側で第２剥離部１５２を第１シート１１０から離間させる作業を行うことにより、粘着部１４０から第１剥離部１５１を取り外すことができる。したがって、術者は、ドレープ１００の粘着部１４０から剥離部材１５０Ａを取り外す作業および粘着部１４０を患者Ｐの生体表面に貼り付ける作業を容易に行うことができる。
【０１３４】
以上、実施形態を通じて本発明に係るドレープを説明したが、本発明は明細書において説明した内容のみに限定されるものでなく、特許請求の範囲の記載に基づいて適宜変更することが可能である。
【０１３５】
本発明に係るドレープは、手に対して実施される手術以外の手術に適用することも可能である。手に対する手術以外にドレープを使用する場合、袋部内には処置対象となる手以外の部位が挿入される。
【０１３６】
また、第１実施形態およびその変形例で説明した各構成や第２実施形態およびその変形例で説明した各構成は、適宜組み合わせることが可能である。例えば、第２実施形態の変形例３で説明した切込み部は、第１実施形態で説明したドレープに組み合わせることも可能である。
【符号の説明】
【０１３７】
１００、２００、３００、４００、５００、６００  ドレープ、
１１０、２１０、３１０、４１０、５１０Ａ、５１０Ｂ、５１０Ｃ、６１０  第１シート、
１１０ａ、３１０ａ、６１０ａ  第１シートの表面、
１１０ｂ、２１０ｂ、３１０ｂ  第１シートの裏面、
１１１  第１シートの第１の層、
１１２  第１シートの第２の層、
１１３  手術用開口部、
１２０、２２０、３２０、４２０、５２０、６２０  第２シート、
１２０ａ、３２０ａ、５２０ａ  第２シートの表面、
１２０ｂ、３２０ｂ  第２シートの裏面、
１２１  第２シートの第１の層、
１２２  第２シートの第２の層、
１３０、２３０、３３０、４３０、６３０  袋部、
１３１  空間部、
１３３  挿入口、
１４０  粘着部、
１５０、１５０Ａ  剥離部材、
１５１  第１剥離部、
１５２  第２剥離部、
１５３  第３剥離部、
２６１ａ、２６１ｂ、２６１ｃ、２６１ｄ、２６１ｅ、４６１ａ、４６１ｂ、４６１ｃ、４６１ｄ、４６１ｅ  貫通孔、
２７０  漏洩抑制機構、
２７１  本体部、
２７２  スリット、
２７３  中心孔、
３２７  挿通孔、
５１８  固定部材、
６１３ａ、６１３ｂ  切込み部、
Ａ  前腕部、
Ｈ  手（身体の一部）、
Ｈｂ  手の甲、
Ｐ  患者。
【図１】
2020014666.tif 000003
【図２】
2020014666.tif 000004
【図３】
2020014666.tif 000005
【図４】
2020014666.tif 000006
【図５】
2020014666.tif 000007
【図６】
2020014666.tif 000008
【図７】
2020014666.tif 000009
【図８】
2020014666.tif 000010
【図９Ａ】
2020014666.tif 000011
【図９Ｂ】
2020014666.tif 000012
【図１０】
2020014666.tif 000013
【図１１】
2020014666.tif 000014
【図１２】
2020014666.tif 000015
【図１３】
2020014666.tif 000016
【図１４】
2020014666.tif 000017
【図１５】
2020014666.tif 000018
【図１６】
2020014666.tif 000019
【図１７】
2020014666.tif 000020
【図１８】
2020014666.tif 000021
【図１９】
2020014666.tif 000022
【図２０Ａ】
2020014666.tif 000023
【図２０Ｂ】
2020014666.tif 000024